(57)【要約】【課題】構造が簡単でどこでも適用でき、ろ過特性やメンテナンス性に優れ、工事現場等で容易に浄化処理を行うことのできる簡易ろ過装置を提供する。【解決手段】懸濁水を供給される容器体１１と、前記容器体１１の内部に一定間隔で複数渡設される略矩形板状に形成され内部に充填材を内蔵されたろ過袋体１２〜１５と、前記ろ過袋体１２〜１５の下端と前記容器体１１とを接続して前記容器体１１の外部へろ過水を排出するためのろ過水排出管１７と、を有して簡易ろ過装置１０とした。【選択図】  図１
2005021746.tif 000002
【特許請求の範囲】
【請求項１】
懸濁水を供給される容器体と、前記容器体の内部に渡設された略矩形板状に形成され内部に充填材が内蔵された複数のろ過袋体と、前記ろ過袋体の下端と接続して前記容器体の外部へろ過水を排出するためのろ過水排出管とを有することを特徴とする簡易ろ過装置。
【請求項２】
前記充填材が網状、塊状、合成樹脂製や金属製のクッション状、格子枠状の材料のうち少なくとも１つ以上から形成されていることを特徴とする請求項１に記載の簡易ろ過装置。
【請求項３】
前記容器体が防水性の布帛や合成樹脂製のシート、ターボリン等の可撓性シートからなり、上部が開口した有底の箱状又は円筒状に形成されていることを特徴とする請求項１又は２に記載の簡易ろ過装置。
【請求項４】
前記容器体の内底面と前記ろ過袋体の下端との間に１０〜１５０ｍｍの間隔をあけて懸濁物貯留部が形成されていることを特徴とする請求項１乃至３の内いずれか１項に記載の簡易ろ過装置。
【請求項５】
前記容器体の側面に棒状又は細長板状、面板状、面格子状の補強部材が水平方向及び／又は垂直方向に配設されていることを特徴とする請求項１乃至４の内いずれか１項に記載の簡易ろ過装置。
【請求項６】
前記容器体の上部の対向する上辺部に吊り手部が設けられていることを特徴とする請求項１乃至５の内いずれか１項に記載の簡易ろ過装置。
【請求項７】
前記ろ布の表面が、シリコン、ウレタン、四フッ化エチレン、アクリル等の合成樹脂の微粒子を集合させて粒子間に流路を形成したスクラム構造により被覆されていることを特徴とする請求項１乃至６の内いずれか１項に記載の簡易ろ過装置。
【請求項８】
前記ろ布の表面に被覆された前記スクラム構造の層厚が前記ろ布の層厚に対して１０〜３０％であることを特徴とする請求項７に記載の簡易ろ過装置。
【請求項９】
前記容器体がその底部に前記ろ過袋体に連通されたろ過水貯留部を備え、前記ろ過水排出管が前記ろ過水貯留部に接続されていることを特徴とする請求項１乃至８の内いずれか１項に記載の簡易ろ過装置。
【発明の詳細な説明】
【０００１】
【発明の属する技術分野】
本発明は、山間地等を切り開いて形成される宅地造成地の現場や河川工事、下水工事、港湾工事、トンネル工事の現場等で発生する汚濁した懸濁水を浄化して排出させるための簡易ろ過装置に関する。
【０００２】
【従来の技術】
従来、宅地造成工事や河川工事等においては、これに伴って発生する土砂等を含む懸濁水を浄化させて排出させるための浄化処理が行なわれている。この懸濁水の浄化処理に関して、例えば以下のような技術のものが知られている。
（イ）（特許文献１）には、開口部を紐で開閉自在に形成したメッシュ状の布袋と、懸濁水の取入れ口内側管周りに前記開口部を締め付けてろ過部を形成した状態の前記布袋を収納する容器と、を備え、取入れ口内側管の先端部に前記布袋の開口部を締め付け時に係止させるフランジを設けたろ過装置が開示されている。
（ロ）（特許文献２）には、円筒状の処理槽に、発泡樹脂材と繊維状片とでマット状に構成した不織布とを合着して細片状に裁断したろ材を装入し、そのろ材のろ材層の下方には、曝気用の散気管と、ろ材の撹拌管とを設け、一方、処理槽の側壁には原水の供給口を開設し、処理槽の上縁部には溢流樋を設けてなる汚水処理用のろ過装置が開示されている。
【０００３】
【特許文献１】
特開平８−１８７４０６号公報
【特許文献２】
特開平９−３２７６９６号公報
【０００４】
【発明が解決しようとする課題】
しかしながら、上記従来の技術は以下のような課題を有していた。
（イ）（特許文献１）に記載のろ過装置は、ろ過された土砂等が布袋内に溜まるので、土砂の蓄積に伴って次第にろ過効率が低下して満杯になると水が流れなくなり、フランジ部から布袋を取り外して交換することが必要となり現場での作業能率が悪く、浄化処理を効率的に行えないという課題があった。
（ロ）（特許文献２）に記載のろ過装置はろ過された土砂を取り除く搬出装置や曝気装置を必要として大掛かりになるため、広い設置面積や電源等が確保されるような場所に限定され汎用性に乏しい上に、ろ材に土砂が詰まって目詰まりしやすくメンテナンス性に欠けるという課題があった。
本発明は上記課題を解決するもので、軽量で搬送性に優れ設置が簡単でどこでも適用でき、ろ過特性やメンテナンス性に優れ、工事現場等で容易に浄化処理を行うことができるとともに、折り畳み自在で収納に場所を取らない簡易ろ過装置を提供することを目的とする。
【０００５】
【課題を解決するための手段】
請求項１に記載の簡易ろ過装置は、懸濁水を供給される容器体と、前記容器体の内部に渡設された略矩形板状に形成され内部に充填材が内蔵された複数のろ過袋体と、前記ろ過袋体の下端と接続して前記容器体の外部へろ過水を排出するためのろ過水排出管と、を有して構成されている。
この構成によって以下の作用が得られる。
（ａ）容器体に懸濁水を供給するだけで、ろ過袋体の表面でろ過された処理水がろ過水排出管から排出できるので、狭い立地条件の工事現場等でも簡単に設置することができ、作業性が改善される。
（ｂ）ろ布で漉し取られた土砂等は容器底部に溜り、ろ過袋体内には蓄積しないので、ろ布によるろ過性能の時間変化が少なく浄水処理性に優れている。
（ｃ）容器内に蓄積された土砂は容器上部の開口部から容易に排出させることができ作業性やメンテナンス性に優れている。
（ｄ）構造が簡単でしかも電源等を要せず動力を用いることなくヘッド差だけで懸濁水のろ過が行なわれるので、経済性と省エネルギー性や汎用性に優れている。
（ｅ）ろ過袋体を容器内に並列に配置しているので、単位スペース当たりのろ過面積を大きくして処理効率を高めることができる。
（ｆ）ろ過水排出管に水貯留袋を接続した場合には、ろ過袋体から排出されるろ過水を溜めることができる。この水貯留袋を足踏みなどで圧迫することによりろ過水をろ過袋体内に逆流させ、ろ布の表面からろ過水を逆方向に滲みださせてろ布の逆洗浄を行うことができ、洗浄の操作性に優れている。
【０００６】
ここで、ろ布の素材としては、例えば合成繊維や天然繊維からなる織布又は不織布が適用できる。合成繊維には通常、太さが０．１〜２０μｍ程度のポリアミド、ポリエステル、ポリオレフィン、ポリビニルアルコール系、ポリフルオロエチレン、ポリアクリロニトリル、酢酸ビニル、四フッ化エチレンなどのものが使用できる。なお、前記繊維の各交点の所定個所を加熱により融着したり接着剤を用いて接着したりして固定し、全体を補強すると共に、懸濁水中の固体粒子の大きさに応じてその捕捉率を調整するようにしてもよい。また、ろ布の素材を、懸濁水中の帯電した固体粒子の付着を妨げるイオン交換樹脂で構成したり、ろ布部の表面をイオン交換樹脂で部分的に被覆したりして、固体粒子の付着を抑制して、ろ過処理中の目詰まりを防ぐようにすることも可能である。
略矩形板状のろ過袋体内に内蔵される充填材は、水透過性と形状保持性に優れたヘチマロン（登録商標）等の合成樹脂製や金属製等のクッション状や、多孔板状、格子状、フレーム状のものが適用でき、これによって、容器体内に立設されるろ過袋体の形状を保持させ、水透過性を確保して、所定のろ過性能を発揮させることができる。
ろ過袋体はその対向する２辺を縫製又は接着手段で容器体内側の側部に固定され、４〜１０枚のろ過袋体同士が例えば３０〜２００ｍｍ、好ましくは５０〜１５０ｍｍの間隔で互いに平行になるように配置されている。これは懸濁水の汚濁度や土砂等の種類にもよるが、この間隔が５０ｍｍより少なくなるにつれ、容器体内に供給される懸濁水がろ過袋の面に沿った流れが妨げられて、ろ布表面に土砂等が付着し易く目詰まりする傾向が現れ、逆にこの間隔が１５０ｍｍを越えるにつれ容器体内に配置されるろ過袋体の数が少なくなってろ過面積が減り、ろ過効率が低下する傾向が現れ、これらの傾向は３０ｍｍより小さくなるか、２００ｍｍを越えるとさらに顕著になるからである。
【０００７】
ろ過水排出管は、塩化ビニルや、軟質ビニル等の合成樹脂からなりその一端部側がろ過袋体の縁部に接着手段や縫製手段を用い挿入された状態で固定され、他端部側が容器体底部側の側部等から外部に向けて貫通した状態に固定されており、容器体内に平行配置された各ろ過袋体のろ布でろ過された処理水が外部に自然放水できるようになっている。なお、このろ過水排出管の容器体側部等に藁やフェルト等の水が透過できる芯材を予め充填配置しておき、ろ過水排出管が圧迫されて潰されても、ここで閉塞されて処理水の流れが止まることがないようすることもできる。
【０００８】
請求項２に記載の簡易ろ過装置は、請求項１に記載の発明において、前記充填材が網状、塊状、クッション状、格子枠状の材料のうち少なくとも１つ以上から形成されて構成されている。
この構成によって、請求項１の作用の他、以下の作用が得られる。
（ａ）ろ過袋体内に内蔵される充填材が網状、塊状、クッション状、格子枠状の材料のうち少なくとも１つ以上から形成されているので、容器体内に懸濁水が多量に供給されてもろ過袋体の形状を適正状態に保持させ、ろ過性能の劣化を防止して効率的な浄化処理を行うことができる。
ここで、充填材としては、前述の水透過性のよい格子状や多孔状、立体網状、クッション状などに形成された素材のものが好適に用いられる。ろ過袋体に内蔵される充填材の厚みは５〜３０ｍｍ程度とするのが好ましい。これはろ過袋体や容器体のサイズや、ろ布のろ過特性などにもよるが、厚みが５ｍｍより薄くなるにつれ、袋状に形成したろ布同士が密着して中に処理水の流路を形成させるのが困難になる傾向が現れ、逆に３０ｍｍを超えるにつれ、容器体内に内蔵できるろ過袋体の個数が減ったり、ろ過袋体間に適正な間隔を保持させたりするのが困難となって、ろ過効率が低下する傾向が生じるからである。その他、水透過性を有する充填材の素材としてはウレタン樹脂などの合成樹脂や金属線を編んで構成した網状、メッシュ状のもの等の他に、合成樹脂、セラミックス、金属などからなる３次元網目構造を有して形成されたバルクのものや、連通気孔や溝部を有した多孔質体のもの、棒状体を間隔をおいて積層させ格子状に形成したものなどが該当する。
【０００９】
請求項３に記載の簡易ろ過装置は、請求項１又は２に記載の発明において、
前記容器体が防水性の布帛や合成樹脂製のシート、ターボリン等の可撓性シートからなり、上部が開口した有底の箱状又は円筒状に形成されて構成されている。
この構成によって、請求項１又は２の作用の他、以下の作用が得られる。
（ａ）容器体が可撓性シートからなるので、軽量で搬送性に優れるとともに、使用しない場合には全体を折り畳むことができ、狭い収納場所でもコンパクトに収納でき、利便性に優れている。
（ｂ）容器体がコンパクトになるので、多数の容器体の持ち運びが容易にでき、突然の増水時等には現場に持ち込んで迅速に対処でき、機動性に優れている。
（ｃ）容器体が可撓性シートからなるので、懸濁水を注入すると懸濁水の自重で完全に拡開しろ過効率を高めることができる。
ここで、容器体は、防水性の可撓性シートを縫製又は接着して箱型や円筒状等に形成される。この容器体は、全体を折り畳むことにより嵩張ることなく収納効率を高めることができる。
【００１０】
請求項４に記載の簡易ろ過装置は、請求項１乃至３の内いずれか１項に記載の発明において、前記容器体の内底面と前記ろ過袋体の下端との間に１０〜１５０ｍｍの間隔をあけて懸濁物貯留部が形成されて構成されている。
この構成によって、請求項１乃至３の内いずれか１項の作用の他、以下の作用が得られる。
（ａ）容器体の内底面と前記ろ過袋体の下端との間に所定の懸濁物貯留部が所定の間隔で形成されているので、ろ布の表面で漉し取られた土砂が容器体の底部に沈殿させておくことができ、ろ過袋体の上部が土砂で覆われることがなく、ろ過面積を確保でき、安定的に浄水処理を行うことができる。
ここで、懸濁物貯留部の間隔が１０ｍｍより少ないと、十分な量の土砂を貯留することができなくなり簡易ろ過装置で処理できる浄水処理量が低下する。逆に１５０ｍｍを越えると、貯留される土砂等の量が増えて浄水処理後における移動や懸濁物の排出等の取り扱いが不便になるので好ましくない。
【００１１】
請求項５に記載の簡易ろ過装置は、請求項１乃至４の内いずれか１項に記載の発明において、前記容器体の側面に棒状又は細長板状、面板状、面格子状の補強部材が水平方向及び／又は垂直方向に配設されて構成されている。
この構成によって、請求項１乃至４の内いずれか１項の作用の他、以下の作用が得られる。
（ａ）容器体の側面に補強部材が配設されているので、容器体内が懸濁水で満たされても、全体がその重量で膨らんで変形し懸濁水が溢出したりするのを防止でき、各ろ過袋体間の間隔を一定に保持させてろ過効率が低下するの防止して、適正状態に維持させることができる。
（ｂ）補強部材が設けられているので、容器体の折り畳みやその後の展開が容易になり取り扱い性に優れており、現場での設置作業が迅速に行える。
（ｃ）ろ過装置が自重で変形しないので道路側溝等に容易にはめ込むことができ、道路側溝内の水をろ過するろ過装置として好適に使用できる。
ここで、補強部材としては、比較的硬質の合成樹脂や、アルミ合金やスチール等の金属製の棒状体や、細長板状体、面板状体、面格子状体のものなどが適用でき、容器体の側部に水平方向や垂直方向に係止部材を介して取り付けたり、又は接着剤等を介したりして直接貼着されて用いられる。
【００１２】
請求項６に記載の簡易ろ過装置は、請求項１乃至５の内いずれか１項に記載の発明において、前記容器体の上部の対向する上辺部に吊り手部が設けられて構成されている。
この構成によって、請求項１乃至５の内いずれか１項の作用の他、以下の作用が得られる。
（ａ）上辺部に吊り手部が設けられているので、全体が折り畳まれた簡易ろ過装置を容易に持ち運ぶことができ、迅速に現場に配置して緊急時にも対応でき、取り扱い性に優れている。
（ｂ）上辺部の吊り手同士をロープなどで縛って連結することができ、懸濁水を満たすことによって広がりやすい容器体の開口部を規制して、内部のろ過袋体の間隔を適正に維持させることができる。
【００１３】
請求項７に記載の簡易ろ過装置は、請求項１乃至６の内いずれか１項に記載の発明において、前記ろ布の表面が、シリコン、ウレタン、四フッ化エチレン、アクリル等の合成樹脂の微粒子を集合させて粒子間に流路を形成したスクラム構造により被覆されて構成されている。
この構成によって、請求項１乃至６の内いずれか１項の用の作用の他、以下の作用が得られる。
（ａ）ろ布が合成樹脂の微粒子からなるスクラム構造を有した層で被覆されているので、合成樹脂の微粒子が敷き詰められて形成されたその表面部で懸濁水中の粒子を確実に捕捉して、内部への侵入を阻止でき、目詰まりを効果的に防止することができる。
（ｂ）水分子や水に溶解したミネラル分等は容易に被覆層を透過するので、ミネラル分を含む清水を大量に得ることができる。
（ｃ）四フッ化エチレン（商品名テフロン（登録商標））やこれをコーティング材として用いた場合には、懸濁水中の固形分に対する付着性が少なく、対目詰まり性に優れている。
ここでスクラム構造は、溶剤中に分散させたポリウレタン樹脂等の合成樹脂の１μｍ〜２０００μｍ粒径の微粒子をろ布部上に吹き付けることにより微粒子同士が網目状に接合した層を形成させたり、繊維質のものに微粒子を混合攪拌して分散させ、繊維質又は微粒子を部分的に融着させたりすることで形成できる。
【００１４】
請求項８に記載の簡易ろ過装置は、請求項７に記載の発明において、前記ろ布の表面に被覆された前記スクラム構造の層厚が前記ろ布の層厚に対して１０〜３０％であるように構成されている。
この構成によって、請求項７の作用の他、以下の作用が得られる。
（ａ）スクラム構造の層厚が特定範囲になっているので、ろ過処理量とその目詰まり特性とをバランスさせ、造成現場等の懸濁水等の大量処理を効率的に行なうことができる。
（ｂ）微細粒子に対しても目詰まりを少なくできるので、湖、河川、海等で発生するアオコ等のプランクトンの分散除去にも使用できる。
ここで、ろ布の層厚に対するスクラム構造の層厚は懸濁水の固形分濃度やその種類などにもよるが、１０％より少なくなるとろ布部においてろ過される固形分の付着性が大きくなる傾向が表れ、短期間で逆洗処理が必要となるので好ましくない。逆に３０％を超えるとろ過処理流量が低下する傾向にあるので好ましくない。
【００１５】
請求項９に記載の簡易ろ過装置は、請求項１乃至８の内いずれか１項に記載の発明において、前記容器体がその底部に前記ろ過袋体に連通されたろ過水貯留部を備え、前記ろ過水排出管が前記ろ過水貯留部に接続されて構成されている。
この構成によって、請求項１乃至８の内いずれか１項の作用に加えて、以下の作用を有する。
（ａ）容器体の底部にろ過水を一定量貯留できるろ過水貯留部が設けられているので、各ろ過袋体から個別にろ過水を取り出す場合のような取り出し水量のばらつきがなく、ろ過水をろ過水排出管から安定した水量で排出できる。
（ｂ）ろ過水排出管をバルブなどで閉止したり、管の部分を折り曲げたりして、水が漏れないように維持させた後、ろ過水貯留部内を加圧し、ろ過水貯留部内のろ過水をろ過袋体に逆流させることで、ろ布上の固形分を除去して洗浄することができ、メンテナンス性に優れている。
ここで、ろ過水貯留部は容器体の全内容積に対してその２０分の１から１０分の１の内容積を有して底部に設けられたろ過水を貯留するタンクであり、バルブなどで開閉されるろ過水排出管が接続されて用いられる。ろ過水貯留部の内容積が容器体の内容積の２０分の１より少なくなると、排出するろ過水の水量の均一化が困難となる傾向が表れ、逆に１０分の１を超えると相対的にろ過袋体の大きさが制限されて、ろ過処理量が大きく減少する傾向が生じるので好ましくない。
【００１６】
【発明の実施の形態】
（実施の形態１）
本発明の実施形態１に係る簡易ろ過装置について説明する。
図１は実施の形態１の簡易ろ過装置の斜視図であり、図２はその平面図であり、図３は側面断面図であり、図４は正面断面図であり、図５は簡易ろ過装置を折り畳んだ状態の斜視図である。
図１〜４において、１０は実施の形態１の簡易ろ過装置、１１は懸濁水がその上部の開口部１１ａから供給され防水性の布帛やターボリン等の可撓性シートを素材として各隅部が両辺端部を縫着や接着で柱状に形成された保持部１１ｂで略箱状に形成された容器体、１２〜１５は容器体１１内にその略矩形板状の対向する２辺側が縫着や接着等で容器体１１の側壁の指示部１１ｂ´で支持され互いに手の差し入れられるぐらいの間隔Ｄをおいて渡設されたろ過袋体、１６は合成樹脂製の線状物を絡ませ所々を溶着させてクッション状に形成された手板状でクッション状の充填材、１７はろ過袋体１２〜１５の下端部側にその一端部側が挿入され他端部が容器体１１の側部から外に引き出されて配置されたろ過水排出管である。
容器体１１はその内側部において、各ろ過袋体１２〜１５のそれぞれの対向する２辺側端部を縫製して、ろ過袋体１２〜１５が互いに５０〜１５０ｍｍ程度の間隔Ｄを有するように平行に渡設されている。なお、容器体１１の内底面とろ過袋体１２〜１５の下端との間に１０〜１５０ｍｍの懸濁物貯留部が間隔Ｈを設けて、ここに懸濁物を溜めることができるようにしている。
【００１７】
容器体１１の側面には袋状に形成された棒状の収納部１１ｃが２箇所上下平行に水平配置されており、硬質の合成樹脂からなる棒状の補強部材１１ｃ´がここに挿入されて固定されている。なお、容器体１１の上部には吊り手１１ｅが設けられており、簡易ろ過装置１０の運搬の際の取り扱いを容易にすると共に、折り畳まれた簡易ろ過装置をロープ等で縛って梱包する際等の利便性を高めている。
ろ過袋体１２〜１５は、合成繊維や天然繊維からなる織布又は不織布からなるろ布を縫製して略矩形板状に形成されている。その内部には充填材１６が内蔵されて袋状に密閉され、下端部側にろ過水排出管１７が挿入固定されている。
ろ過水排出管１７は防水性の布帛やシート、合成樹脂管等でパイプ状やチューブ状に形成され、容器体１１の側部孔１１ｄを貫通して配置され、容器体１１内部のろ過袋体１２〜１５で浄化された処理水が外部に排出されるようになっている。
簡易ろ過装置１０は図１に示すように広げて設置した時の高さが２００〜５００ｍｍ、縦幅が３００〜２０００ｍｍ、横幅が２００〜１０００ｍｍの略箱状に形成され、収納時や持ち運び時には図５に示すように正面側から折り畳んで、ロープ１８等で縛ることにより全体をコンパクトにでき、収納性や取り扱い性に優れている。
【００１８】
次に、以上のように構成された簡易ろ過装置１０を用いて懸濁水の浄化処理を行う方法について説明する。
まず、図５に示すように折り畳んだ状態の簡易ろ過装置１０を、図１に示すように工事現場などの懸濁水発生箇所に展開して配置すると保持部１１ｂと支持部１１ｂ´により自立する。つぎに容器体１１の開口部１１ａから懸濁水を供給して、懸濁水の水面を上昇させる。
このとき、容器体１１には補強部材１１ｃ´が設けられているので、容器体１１の側面がその水圧で膨出するのが抑制され、各ろ過袋体１２〜１５が適正位置に保持される。こうして、ろ過袋体１２〜１５の外側からその内部に内蔵された充填材１６側に向かって水圧が付与されて透過水流が発生し、ろ布の表面で懸濁水中の固形分がろ過されて容器体１１の底部に沈降する。
一方、ろ布面で浄化された処理水が充填材１６の隙間を通ってろ過袋体１２〜１５の下端側に設けられたろ過水排出管１７から外部に排出される。
こうして、簡易ろ過装置１０に供給される懸濁水の自重だけで効率的に水処理を行うことができる。
容器体１１内に所定量の土砂等が蓄積した時は、吊り手１１ｅ等を用いて容器体１１を反転させ、内部に貯留させた土砂を所定の場所等に排出して、この簡易ろ過装置１０を再度浄化処理に用いることができる。
また、浄化処理が終了した時には、空の簡易ろ過装置１０を折り畳んでコンパクトにして、ろ過装置を収納場所に多数収納させることができる。
なお、ろ過水排出管１７を袋状などに形成されたろ過水タンクに接続して、ろ過水を溜めておき、このろ過水タンクを加圧して、ろ過水をろ過袋体１２〜１５に逆流させることもできる。これによって、ろ過袋体１２〜１５に表面に付着した固形分を有効に除去して、目詰まりさせることなく使用できる。
【００１９】
実施の形態１の簡易ろ過装置１０は以上のように構成されているので以下の作用を有する。
（ａ）ろ布で漉し取られた土砂等は容器体１１の底部に溜り、ろ過袋体１２〜１５には蓄積しないので、ろ布によるろ過性能の時間変化が少なく浄水処理性に優れている。
（ｂ）各ろ過袋体１２〜１５の間隔Ｄが５０〜１５０ｍｍあけられているので、ろ過中等にろ布表面の目詰まりを防ぐためにブラシを挿入してその毛先で掃引して、ろ布表面に付着した付着層を除去しろ過効率を維持でき、メンテナンス性に優れている。
（ｃ）容器体１１内に蓄積された土砂は容器体１１上部の開口部１１ａから容易に排出させることができ作業性やメンテナンス性に優れている。
（ｄ）ろ過袋体１２〜１５内に充填材１６が内蔵されているので、容器体１１内に懸濁水が多量に供給されてもその形状を適正状態に保持させ、ろ過性能の劣化を防止して効率的な浄化処理を行うことができる。
（ｅ）容器体１１が可撓性シートからなるので、使用しない場合には全体を折り畳むことができ、狭い収納場所でもコンパクトに収納できるとともに、保持部１１ｂや支持部１１ｂ´により使用時には自立するので作業性に優れる。
（ｆ）軽量で持ち運びが容易にでき、突然の増水時等には現場に持ち込んで迅速に対処でき、機動性に優れている。
（ｇ）容器体１１の内底面に懸濁物貯留部の間隔Ｈが形成されているので、ろ布の表面で漉し取られた所定量の土砂を容器体１１の底部に沈殿させておくことができ、ろ過袋体１２〜１５の上部が土砂で覆われることがなく、ろ過面積を確保でき、安定的に浄水処理を行うことができる。
（ｈ）容器体１１の側面に補強部材１１ｃ´が配設されているので、容器体１１内が懸濁水で満たされても、補強部材１１ｃ´側がその重量で膨らむことがなく、各ろ過袋体間の間隔を一定に保持させてろ過効率が低下するの防止できる。
（ｉ）動力を用いることなくヘッド差だけで懸濁水のろ過が行なわれるので、省エネルギー性に優れている。
（ｊ）懸濁水が供給される容器体１１に気泡発生器や曝気装置等を配置することも容易にでき、殺菌や酸素富化などの二次的な水処理を行なって、種々の用途や目的に対応した利便性を付加することもできる。
（ｋ）上辺部に吊り手１１ｅが設けられているので、全体が折り畳まれた簡易ろ過装置を容易に持ち運ぶことができ、迅速に現場に配置して緊急時にも対応でき、取り扱い性に優れている。
（ｌ）簡易ろ過装置１０が直方体状に形成されるので、道路の側溝状の部分に嵌め込んで安定した状態に保持して、浄化処理を行うことも可能である。
【００２０】
（実施の形態２）
本発明の実施形態２に係る簡易ろ過装置について説明する。
図６は実施の形態２の簡易ろ過装置の斜視図である。
図６において、２０は実施の形態２の簡易ろ過装置、２１は懸濁水がその上部の開口部２１ａから供給され防水性の布帛やターボリン等の可撓性シートを素材として略底付き円筒状に形成された容器体、２２〜２５は容器体２１内にその略矩形板状の対向する２辺側が容器体２１の周壁に支持部２１ｂ´で支持されて渡設され充填材が内蔵されたろ過袋体である。
なお、実施の形態２の簡易ろ過装置２０は容器体２１が略円筒状に形成されている点と、ろ過袋体２２〜２５のろ布の構造の点とで、実施の形態１のものと異なっているが、その他の構成は略同様であるので、これらについては同一の符号を付してその説明を省略する。
図示するように、容器体２１はその上部が開口した開口部２１ａと底部２１ｂを有した直径が約４００〜２０００ｍｍ、高さが３００〜２０００ｍｍの略円筒状に形成され、ろ過袋体２２〜２５にそれぞれ接続されたろ過水排出管１７がその側部の下端部側に突出して設けられている。
ろ過袋体２２〜２５のろ布はその表面が、１μｍ〜２０００μｍ粒径のポリウレタン樹脂等の粒子をろ布上に吹き付けて粒子を集合させて粒子間に流路を形成したスクラム構造により被覆され、そのスクラム構造の層厚はろ布の厚みの１０〜３０％にしている。
【００２１】
実施の形態２の簡易ろ過装置２０は以上のように構成されているので実施の形態１の作用に加えて以下の作用を有する。
（ａ）ろ布が合成樹脂の微粒子からなるスクラム構造を有した層で被覆されているので、合成樹脂の微粒子が敷き詰められて形成されたその表面部で懸濁水中の粒子を確実に捕捉して、内部への侵入を阻止でき、目詰まりを効果的に防止することができる。
（ｂ）スクラム構造の層厚が適正範囲に設定されているので、ろ過処理量とその目詰まり特性とをバランスさせ、造成現場等の懸濁水等の大量処理を効率的に行なうことができる。
（ｃ）特に四フッ化エチレン（商品名テフロン（登録商標））を用いた場合には、懸濁水中の固形分に対する付着性が少なく、対目詰まり性に優れている。
（ｄ）容器体２１が円筒形状に形成されているので、懸濁水が注ぎ込まれるマンホールなどの場所にも好適に簡易ろ過装置２０を適用することができる。また、円筒形状なので大容量にも耐えることができる。
【００２２】
（実施の形態３）
本発明の実施形態３に係る簡易ろ過装置について説明する。
図７は実施の形態２の簡易ろ過装置の斜視図であり、図８はその要部断面図である。
図７及び図８において、３０は実施の形態３の簡易ろ過装置、３１は懸濁水がその上部から供給される略底付き直方体状の箱型に形成された容器体、３２〜３６は容器体３１内にその略矩形板状の対向する２辺側が縫製手段や接着手段で支持されて渡設され充填材１６が内蔵され下端面が全面又は所定箇所開放されたろ過袋体、３７は容器体３１の底部に各ろ過袋体３２〜３６の下部が連通して形成されたろ過水貯留部、３８はろ過水貯留部３７に接続されたろ過水排出管である。
なお、実施の形態３の簡易ろ過装置３０は容器体３１の底部にろ過水貯留部３７を備え、このろ過水貯留部３７にろ過水排出管３８が接続されている点で、実施の形態１のものと異なっているが、その他の構成は略同様であるので、これらについては同一の符号を付してその説明を省略する。
図示するように、容器体３１はその上部が開口した箱型に形成され縦横の長さが約４００〜２０００ｍｍ、高さが３００〜２０００ｍｍの直方体状に形成されている。容器体３１に渡設されるろ過袋体３２〜３６はそれぞれの下部がろ過水貯留部３７に縫製手段や接着手段、パイプ連結手段などにより連通した状態に配置される。なお、ろ過水貯留部３７の上部をなす部分とろ過袋体３２〜３６とを一枚のろ布で構成して、このろ布を所定長さで繰り返し折り返した状態で容器体３１内の側部及びその下部に取り付けて、このようなろ過袋体３２〜３６とろ過水貯留部３７を構成させることもできる。
【００２３】
実施の形態３の簡易ろ過装置３０は以上のように構成されているので実施の形態１の作用に加えて以下の作用を有する。
（ａ）容器体３１の底部にろ過水貯留部３７が設けられているので、ろ過袋体３２〜３６でろ過されたろ過水をろ過水排出管３８から安定した水量で排出でき、ろ過処理の効率に優れている。
（ｂ）ろ過水排出管３８をバルブなどで閉止したり、この管の部分を折り曲げたりして、水が漏れないように維持させた後、ろ過水貯留部３７内を加圧し、ろ過水貯留部３７内のろ過水をろ過袋体３２〜３６に逆流させ容器体３１を上方から加圧し、ろ過水貯留部のろ過水をろ過袋体に逆流させ、ろ布上の固形分を除去洗浄でき、メンテナンス性に優れている。
【００２４】
（実施の形態４）
本発明の実施形態４に係る簡易ろ過装置について説明する。
図９は実施の形態４の簡易ろ過装置の斜視図である。
図９において、４０は実施の形態４の簡易ろ過装置、４１は懸濁水がその上部の開口部４１ａから供給される略底付き円筒状に形成された容器体、４２は充填材を内蔵して略矩形板状に形成され、その一端辺側が円筒状の容器体４１の中心部に配置された中心支持体４３に連設されて放射状に配列された複数のろ過袋体である。
なお、実施の形態４の簡易ろ過装置４０は略円筒状の容器体４１にろ過袋体４２が放射状に複数配列されている点で、実施の形態２のものと異なっているが、その他の構成は略同様であるので、これらについては同一の符号を付してその説明を省略する。
図示するように、容器体４１はその上部が開口して略円筒状に形成され、容器体４１内に放射状に配列された各ろ過袋体４２にそれぞれ接続されたろ過水排出管１７がその側部の下端部側に突出して設けられている。
なお、中心支持体４３を円筒パイプ状に形成して、各ろ過袋体４２の側壁部それぞれと連通するように配置して、中心支持体４３の底部に一本のろ過水排出管を取り付け、これによって各ろ過袋体４２でろ過されたろ過水を集合させて外部に排出させることもできる。
【００２５】
実施の形態４の簡易ろ過装置４０は以上のように構成されているので実施の形態２の作用に加えて以下の作用を有する。
（ａ）円筒状に形成された容器体４１の中にろ過袋体４２が放射状に配列されるので、懸濁水を保持する際の安定性に優れている。
（ｂ）簡易ろ過装置４０を安定配置できるので、供給される懸濁水の流量が多い場合でも浄化処理が容易に行える。
【００２６】
【発明の効果】
請求項１に記載の簡易ろ過装置によれば、以下の効果が得られる。
（ａ）容器体に懸濁水を供給するだけで、ろ過袋体の表面でろ過された処理水がろ過水排出管から排出できるので、狭い立地条件の工事現場等でも簡単に設置し、環境汚染を防止でき作業性に優れる。
（ｂ）ろ布で漉し取られた土砂等は容器底部に溜り、ろ過袋体内には蓄積しないので、ろ布によるろ過性能の時間変化が少なく浄水処理性に優れている。
（ｃ）容器内に蓄積された土砂は容器上部の開口部から容易に排出させることができ作業性やメンテナンス性に優れている。
（ｄ）構造が簡単でしかも電源等を要せず動力を用いることなくヘッド差だけで懸濁水のろ過が行なわれるので、経済性と省エネルギー性や汎用性に優れている。
（ｅ）ろ過袋体を容器内に並列に配置できるので、単位スペース当たりのろ過面積を大きくして処理効率を高めることができる。
【００２７】
請求項２に記載の簡易ろ過装置によれば、請求項１の効果の他、以下の効果が得られる。
（ａ）ろ過袋体内に充填材が配置されているので、容器体内に懸濁水が多量に供給されてもろ過袋体の形状を適正状態に保持させ、ろ過性能の劣化を防止して効率的な浄化処理を行うことができる。
【００２８】
請求項３に記載の簡易ろ過装置によれば、請求項１又は２の効果の他、以下の効果が得られる。
（ａ）容器体が可撓性シートからなるので、軽量で搬送性に優れるとともに、使用しない場合には全体を折り畳むことができ、コンパクトに収納でき、利便性に優れている。
【００２９】
請求項４に記載の簡易ろ過装置によれば、請求項１乃至３の内いずれか１項の効果の他、以下の効果が得られる。
（ａ）容器体の内底面と前記ろ過袋体の下端との間に所定の懸濁物貯留部が形成されているので、ろ布の表面で漉し取られた土砂を容器体の底部に沈殿させ、ろ過袋体が土砂で覆われることがなく、ろ過面積を確保でき、安定的に浄水処理を行うことができる。
【００３０】
請求項５に記載の簡易ろ過装置によれば、請求項１乃至４の内いずれか１項の効果の他、以下の効果が得られる。
（ａ）全体がその重量で膨らんで変形したりするのを防止でき、各ろ過袋体間の間隔を一定に保持させてろ過効率に優れる。
（ｂ）補強部材が設けられているので、容器体の折り畳みやその後の展開が容易になり取り扱い性に優れており、現場での設置作業が迅速に行える。
【００３１】
請求項６に記載の簡易ろ過装置によれば、請求項１乃至５の内いずれか１項の効果の他、以下の効果が得られる。
（ａ）上辺部に吊り手部が設けられているので、全体が折り畳まれた簡易ろ過装置を容易に持ち運ぶことができ、迅速に現場に配置して緊急時にも対応でき、取り扱い性に優れている。
【００３２】
請求項７に記載の簡易ろ過装置によれば、請求項１乃至６の内いずれか１項の用の効果の他、以下の効果が得られる。
（ａ）スクラム構造を有しているので、合成樹脂の微粒子が敷き詰められて形成されたその表面部で懸濁水中の粒子を確実に捕捉して、内部への侵入を阻止でき、目詰まりを効果的に防止し、ろ過効率に優れる。
（ｂ）水分子や水に溶解したミネラル分等は容易に被覆層を透過するので、ミネラル分を含む清水を大量に得ることができる。
【００３３】
請求項８に記載の簡易ろ過装置によれば、請求項７の効果の他、以下の効果が得られる。
（ａ）スクラム構造の層厚が特定範囲になっているので、ろ過処理量とその目詰まり特性とをバランスさせ、造成現場等の懸濁水等の大量処理を効率的に行なうことができる。
（ｂ）微細粒子に対しても目詰まりを少なくできるので、湖、河川、海等で発生するアオコ等のプランクトンの分散除去にも使用できる。
【００３４】
請求項９に記載の簡易ろ過装置によれば、請求項１乃至８の内いずれか１項の効果に加えて、以下の効果を有する。
（ａ）容器体の底部にろ過水を一定量貯留できるろ過水貯留部が設けられているので、各ろ過袋体から個別にろ過水を取り出す場合のような取り出し水量のばらつきがなく、ろ過水をろ過水排出管から安定した水量で排出できる。
（ｂ）ろ過水排出管をバルブなどで閉止したり、管の部分を折り曲げたりして、水が漏れないように維持させた後、ろ過水貯留部内を加圧し、ろ過水貯留部内のろ過水をろ過袋体に逆流させることで、ろ布上の固形分を除去して洗浄することができ、メンテナンス性に優れている。
【図面の簡単な説明】
【図１】実施の形態１の簡易ろ過装置の斜視図
【図２】実施の形態１の簡易ろ過装置の平面図
【図３】実施の形態１の簡易ろ過装置の側面断面図
【図４】実施の形態１の簡易ろ過装置の正面断面図
【図５】実施の形態１の簡易ろ過装置を折り畳んだ状態を示す斜視図
【図６】実施の形態２の簡易ろ過装置の斜視図
【図７】実施の形態３の簡易ろ過装置の斜視図
【図８】実施の形態３の簡易ろ過装置の側面断面図
【図９】実施の形態４の簡易ろ過装置の斜視図
【符号の説明】
１０  実施の形態１の簡易ろ過装置
１１  容器体
１１ａ  開口部
１１ｂ  保持部
１１ｂ´  支持部
１１ｃ  収納部
１１ｃ´  補強部材
１１ｄ  側部孔
１１ｅ  吊り手
１１ｆ  懸濁物貯留部
１２〜１５  ろ過袋体
１６  充填材
１７  ろ過水排出管
２０  実施の形態２の簡易ろ過装置
２１  容器体
２１ａ  開口部
２１ｂ  底部
２２〜２５  ろ過袋体
３０  実施の形態３の簡易ろ過装置
３１  容器体
３２〜３６  ろ過袋体
３７  ろ過水貯留部
３８  ろ過水排出管
４０  実施の形態４の簡易ろ過装置
４１  容器体
４１ａ  開口部
４２  ろ過袋体
４３  中心支持体
【図１】
2005021746.tif 000003
【図２】
2005021746.tif 000004
【図３】
2005021746.tif 000005
【図４】
2005021746.tif 000006
【図５】
2005021746.tif 000007
【図６】
2005021746.tif 000008
【図７】
2005021746.tif 000009
【図８】
2005021746.tif 000010
【図９】
2005021746.tif 000011